(57)【要約】  【課題】  熱交換率の向上を図ると共に、電力消費を上昇させずに風速を上昇させることができる空気調和機を提供すること。  【解決手段】  吸込口２と、この吸込口２の両側に位置する吹出口３、４とを有し、前記吸込口２から前記吹出口３、４へ到る通風路９中に熱交換器６と一対のクロスフローファン１０、１１とを配置した空気調和機において、三列フィン幅の熱交換器固定用の上下の固定部材７、８に固定される前記熱交換器６を二列フィン幅として、この熱交換器６の裏面左右に奥行き長さが一列フィン幅の仕切板１２を固定し、前記一対のクロスフローファン１０、１１と前記上下の固定部材７、８の舌部７Ａ、７Ｂとの間隔を三列フィン幅の熱交換器と同じにした。  【選択図】  図２
2006046733.tif 000002
【特許請求の範囲】
【請求項１】
吸込口と、この吸込口の両側に位置する吹出口とを有し、前記吸込口から前記吹出口へ到る通風路中に熱交換器と一対のクロスフローファンとを配置した空気調和機において、前記熱交換器を二列フィン幅とし、この熱交換器の裏面左右に奥行き長さが一列フィン幅の長さを有する仕切部材をそれぞれ固定したことを特徴とする空気調和機。
【請求項２】
吸込口と、この吸込口の両側に位置する吹出口とを有し、前記吸込口から前記吹出口へ到る通風路中に熱交換器と一対のクロスフローファンとを配置した空気調和機において、三列フィン幅の熱交換器固定用の上下の固定部材に固定される前記熱交換器を二列フィン幅として、この熱交換器の裏面左右に奥行き長さが一列フィン幅の長さを有する仕切部材をそれぞれ固定したことを特徴とする空気調和機。
【請求項３】
吸込口と、この吸込口の両側に位置する吹出口とを有し、前記吸込口から前記吹出口へ到る通風路中に熱交換器と一対のクロスフローファンとを配置した空気調和機において、三列フィン幅の熱交換器固定用の上下の固定部材に固定される前記熱交換器を二列フィン幅として、この熱交換器の裏面左右に奥行き長さが一列フィン幅の長さを有する仕切部材をそれぞれ固定し、前記一対のクロスフローファンと前記上下の固定部材の舌部との間隔を三列フィン幅の熱交換器と同じにしたことを特徴とする空気調和機。
【発明の詳細な説明】
【技術分野】
【０００１】
本発明は、吸込口と、この吸込口の両側に位置する吹出口とを有し、前記吸込口から前記吹出口へ到る通風路中に熱交換器と一対のクロスフローファンとを配置した空気調和機に関する。
【背景技術】
【０００２】
この種の空気調和機は、例えば特許文献１などに開示されており、その熱交換器は三列フィン幅のものである。
【特許文献１】特開平３−１１７８２８号公報
【発明の開示】
【発明が解決しようとする課題】
【０００３】
しかし、この三列フィン幅の熱交換器では、吸込抵抗が大きく、熱交換率もさほど良くなかった。また、より風速を上昇させるには、クロスフローファン用駆動モータの出力を上昇させねばならず、電力消費が上昇することとなる。
【０００４】
そこで本発明は、熱交換率の向上を図ると共に、電力消費を上昇させずに風速を上昇させることができる空気調和機を提供することを目的とする。
【課題を解決するための手段】
【０００５】
このため第１の発明は、吸込口と、この吸込口の両側に位置する吹出口とを有し、前記吸込口から前記吹出口へ到る通風路中に熱交換器と一対のクロスフローファンとを配置した空気調和機において、前記熱交換器を二列フィン幅とし、この熱交換器の裏面左右に奥行き長さが一列フィン幅の長さを有する仕切部材をそれぞれ固定したことを特徴とする。
【０００６】
第２の発明は、吸込口と、この吸込口の両側に位置する吹出口とを有し、前記吸込口から前記吹出口へ到る通風路中に熱交換器と一対のクロスフローファンとを配置した空気調和機において、三列フィン幅の熱交換器固定用の上下の固定部材に固定される前記熱交換器を二列フィン幅として、この熱交換器の裏面左右に奥行き長さが一列フィン幅の長さを有する仕切部材をそれぞれ固定したことを特徴とする。
【０００７】
第３の発明は、吸込口と、この吸込口の両側に位置する吹出口とを有し、前記吸込口から前記吹出口へ到る通風路中に熱交換器と一対のクロスフローファンとを配置した空気調和機において、三列フィン幅の熱交換器固定用の上下の固定部材に固定される前記熱交換器を二列フィン幅として、この熱交換器の裏面左右に奥行き長さが一列フィン幅の長さを有する仕切部材をそれぞれ固定し、前記一対のクロスフローファンと前記上下の固定部材の舌部との間隔を三列フィン幅の熱交換器と同じにしたことを特徴とする。
【発明の効果】
【０００８】
本発明は、熱交換率の向上を図ると共に、電力消費を上昇させずに風速を上昇させることができる空気調和機を提供することができる。
【発明を実施するための最良の形態】
【０００９】
以下、本発明の実施の形態を図面に基づき説明する。図１において、１は室外機に冷媒配管にて接続される分離型空気調和機の室内機で、前面パネル５の中央部には吸込口２が開設され、この吸込口２の上方及び下方にそれぞれ吹出口３、４が開設されている。
【００１０】
６は二列フィン幅の熱交換器で、前後二列に配列された冷媒管と、これらの冷媒管が貫通する多数のフィンとから構成される。そして、この熱交換器６の裏面側の左右両端部の金具に奥行き長さが一列フィン幅の横断平面形状がＬ字形状（短い一方の片が固定代である）の仕切板１２、１２を長手方向が上下方向となるように且つ対向するようにそれぞれ固定する。これにより、仕切板１２の奥行き長さを含めると従来の三列フィン幅の熱交換器の幅と同じ長さとなる。そして、前記吸込口２に対応する位置において、この熱交換器６は三列フィン幅の熱交換器固定用の上下の固定部材７、８により固定される。
【００１１】
そして、この固定部材７、８の舌部７Ａ、８Ａと一定の間隔を存して、通風路９内に上下に出力が可変の直流モータにより回転するクロスフローファン１０、１１が配設されている。
【００１２】
従って、空気調和機を運転すると、直流モータの運転によりクロスフローファン１０、１１が回転し、室内の空気が吸込口２から流入して熱交換器６を通過して、対向する一対の前記仕切板１２、１２で左右を規制しながら一定量の流量を確保しつつ、通風路９内を経て上方及び下方に分岐して吹出口３、４を介して熱交換された空気が室内に吹出される。
【００１３】
この場合、熱交換器６の幅Ｂと熱交換器６後面とクロスフローファン１０との間隔Ａとの和は、従来の三列フィン幅の熱交換器の幅Ｃとこの従来の熱交換器後面とクロスフローファン１０との間隔Ｃとの和と同じ長さであるにもかかわらず、室内機１内部における前記熱交換器６後面と前記通風路９の後壁９Ａとの長さＷ１を仕切板１２後面と前記通風路９の後壁９Ａとの長さＷ２（従来の三列フィン幅の熱交換器後面と前記通風路９の後壁９Ａとの長さと同長）より長くすることができ、熱交換器６通過後の空間寸法（通風路９の幅）を長くできるから、吸込抵抗を小さくできて、風量を増加でき、熱交換率が向上でき、電力消費が増加することがない。
【００１４】
以上のように、本実施形態によれば、従来の三列フィン幅の熱交換器に代えて、二列フィン幅の熱交換器６を使用して且つ仕切板１２をこの熱動弁交換器６に固定するだけで、熱交換器６を通過して流入した空気を前記仕切板１２、１２で左右を規制しながら一定量の流量を確保でき、しかも風量を増加できて、熱交換率が向上できる。
【００１５】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００１６】
【図１】空気調和機の正面図である。
【図２】空気調和機の縦断側面図である。
【符号の説明】
【００１７】
１              室内機
２              吸込口
３、４          吹出口
６              熱交換機
７、８          固定部材
１０、１１      クロスフローファン
１２            仕切板
【図１】
2006046733.tif 000003
【図２】
2006046733.tif 000004